(57)【要約】【課題】携帯端末の小型化と捻りや曲げに対する剛性の確保とを両立させる。【解決手段】正面側キャビネット３に複数の有底のピン挿入穴１０を形成し、背面側キャビネット４にピン挿入穴１０に対応させて複数のピン挿通孔１１を開口し、正面側キャビネット３及び背面側キャビネット４の周縁を接合した状態で、複数のピン１２をピン挿通孔１１を通してピン挿入穴１０にそれぞれ固定する。【選択図】図１
2015070378.tif 000002
【特許請求の範囲】
【請求項１】
第１キャビネットと、該第１キャビネットに接合される第２キャビネットとを有する携帯端末において、
上記第１キャビネットの周縁には、複数のピン挿入穴が形成され、
上記第２キャビネットの周縁には、上記ピン挿入穴に対応させて複数のピン挿通孔が開口され、
上記第１キャビネット及び上記第２キャビネットが接合された状態で、複数のピンが上記ピン挿通孔を通して上記ピン挿入穴にそれぞれ固定されている
ことを特徴とする携帯端末。
【請求項２】
請求項１に記載の携帯端末において、
上記複数のピンの外側を覆うように上記第２キャビネットの少なくとも一部がカバーで覆われている
ことを特徴とする携帯端末。
【請求項３】
請求項１又は２に記載の携帯端末において、
上記ピンは、基端側に頭部を有し、該頭部と上記ピン挿通孔の周縁とが両面テープで貼り付けられている
ことを特徴とする携帯端末。
【請求項４】
請求項１又は２に記載の携帯端末において、
上記ピンの外周及び上記ピン挿入穴の内面の少なくとも一方には、突部が形成され、上記ピンの外周と上記ピン挿入穴の内面とが圧入により、固定されている
ことを特徴とする携帯端末。
【請求項５】
請求項１又は２に記載の携帯端末において、
上記ピンの外周の長手方向中間には、鉤状の係止部が形成されており、
上記ピンを上記ピン挿通孔に挿通させて上記係止部を該ピン挿通孔の周縁に係止させることにより、該ピンが抜け止めされている
ことを特徴とする携帯端末。
【発明の詳細な説明】
【技術分野】
【０００１】
本発明は、第１キャビネットと第２キャビネットとを接合する携帯端末に関し、特にその接合強度の向上に関する。
【背景技術】
【０００２】
従来より、２つのキャビネットの間に枠状のパッキンを嵌め込んでビスで留めて防水性能を確保する携帯端末が知られている。しかし、このビスを止めるために設けるボス等が占める面積が大きく、携帯端末の小型化を阻害する要因となっている。
【０００３】
一方で、例えば、特許文献１に示すように、第１筐体と、この第１筐体に水密に取り付けられることにより、電子モジュールを覆う第１カバーと、防水性の接着部材を介して第１筐体に水密に取り付けられることにより、基板モジュールを覆う第２カバーとを有する携帯電子機器は知られている。
【先行技術文献】
【特許文献】
【０００４】
【特許文献１】特開２０１２−９５１５２号公報
【発明の概要】
【発明が解決しようとする課題】
【０００５】
しかしながら、特許文献１の方法では、筐体を捻ったり曲げたりする力が加わると、両面テープは通常柔軟性を有するので、貼り付けられているキャビネットの相対位置が大きくずれるという問題がある。また、ネジ締結や爪嵌合であっても、締結位置や嵌合位置が広く離れていると、力が加わったときにキャビネット同士の接合面に隙間が生じることもある。
【０００６】
本発明は、かかる点に鑑みてなされたものであり、その目的とするところは、携帯端末の小型化と捻りや曲げに対する剛性の確保とを両立させることにある。
【課題を解決するための手段】
【０００７】
上記の目的を達成するために、この発明では、キャビネット間をピンで連結するようにした。
【０００８】
具体的には、第１の発明では、第１キャビネットと、該第１キャビネットに接合される第２キャビネットとを有する携帯端末を前提とする。
【０００９】
上記携帯端末において、
上記第１キャビネットの周縁には、複数のピン挿入穴が形成され、
上記第２キャビネットの周縁には、上記ピン挿入穴に対応させて複数のピン挿通孔が開口され、
上記第１キャビネット及び上記第２キャビネットが接合された状態で、複数のピンが上記ピン挿通孔を通して上記ピン挿入穴にそれぞれ固定されている。
【００１０】
上記の構成によると、ピンによって第１キャビネットと第２キャビネットとが固定されるので、第１キャビネット及び第２キャビネットに捻ったり曲げたりする力が加わっても接合部分の相対位置がずれることはない。また、ピンによる固定であるので、ビスによる固定に比べて構造が簡素で雌ネジ加工を施したボスなどを設けるスペースを必要としないので、携帯端末のコンパクト化を図ることができる。
【発明の効果】
【００１１】
以上説明したように、本発明によれば、第１キャビネット及び第２キャビネットの周縁を接合した状態で、複数のピンをピン挿通孔を通してピン挿入穴にそれぞれ固定するようにしたことにより、携帯端末の小型化と捻りや曲げに対する剛性の確保とを両立させることができる。
【図面の簡単な説明】
【００１２】
【図１】図２（ｂ）のＩ−Ｉ線拡大断面図である。
【図２】本発明の実施形態に係る携帯電話機を示し、（ａ）が正面側から見た斜視図で、（ｂ）が背面側から見た斜視図である。
【図３】携帯電話機の分解斜視図である。
【図４】リアカバーを外した携帯電話機を示す斜視図及びその一部拡大図である。
【図５】リアカバー及びその一部を拡大して示す斜視図である。
【図６】本発明の実施形態に係る変形例１を示す図１相当図である。
【図７】本発明の実施形態に係る変形例２を示す図１相当図である。
【図８】本発明の実施形態に係る変形例３を示す図１相当図である。
【図９】本発明の実施形態に係る変形例４を示す図１相当図である。
【発明を実施するための形態】
【００１３】
以下、本発明の実施形態を図面に基づいて説明する。
【００１４】
図１〜図３は本発明の実施形態の携帯端末としての携帯電話機１を示し、例えばこの携帯電話機１は、正面側にタッチパネルを含む表示部２を有するスマートフォンである。携帯電話機１は、第１キャビネットとしての正面側キャビネット３と、正面側キャビネット３に結合される第２キャビネットとしての背面側キャビネット４とを有する。背面側キャビネット４の背面は、樹脂成形品等よりなるリアカバー５で覆われている。正面側キャビネット３と背面側キャビネット４の上側には、回路基板組品６が収容され、下側には、矩形板状の充電池７が収容されている。これら回路基板組品６及び充電池７は、防水シート８で覆われている。正面側キャビネット３と背面側キャビネット４とは、枠状の接合用両面テープ９（図１に示す）によって貼り合わせられている。
【００１５】
図１に拡大して示すように、本実施形態では、正面側キャビネット３の背面側に起立された左右側壁３ａには、複数の有底のピン挿入穴１０が形成されている。同様に背面側キャビネット４の正面側に起立された左右側壁４ａには、上記ピン挿入穴１０に対応させて複数のピン挿通孔１１が開口されている。図４にも示すように、ピン挿通孔１１の周縁は、矩形状の平坦面１１ａが形成されている。そして、正面側キャビネット３及び背面側キャビネット４の周縁のそれぞれの左右側壁３ａ，４ａが接合用両面テープ９で接合された状態で、複数のピン１２がピン挿通孔１１を通してピン挿入穴１０にそれぞれ固定されている。
【００１６】
各ピン１２は、例えば矩形状の頭部１２ａを有し、この頭部１２ａとピン挿通孔１１周縁とが頭部１２ａに合わせて成形されたピン用両面テープ１３で貼り付けられている。このピン用両面テープ１３により、最小限のスペースでピン１２の抜け出しが防止されている。図５に示すように、リアカバー５の湾曲した側壁５ａには、頭部１２ａが当接する部分に平坦な当接面５ｂが形成されている。全てのピン１２の外側は、このリアカバー５の当接面５ｂで覆われているので、簡単かつ省スペースな構造でピン１２の抜け止めが達成されている。なお、この頭部１２ａの形状は特に限定されず、円形でもよい。
【００１７】
このように、複数のピン１２によって正面側キャビネット３の側壁３ａと背面側キャビネット４の側壁４ａとが固定されるので、正面側キャビネット３及び背面側キャビネット４に捻ったり曲げたりする力が加わっても接合用両面テープ９の接合部分の相対位置がずれることはない。
【００１８】
また、ピン１２による固定であるので、ビスによる固定に比べて構造が簡素で雌ネジ加工を施したボスなどを設けるスペースを必要とせず、携帯電話機１のコンパクト化を図ることができる。
【００１９】
さらに、ピン１２の頭部１２ａに貼り付けたピン用両面テープ１３によりピン１２が抜け止めされるので、他に抜け止めのための部品を設けるスペースを確保する必要がない。
【００２０】
したがって、本実施形態に係る携帯電話機１によると、正面側キャビネット３及び背面側キャビネット４の周縁を接合用両面テープ９で接合した状態で、複数のピン１２をピン挿通孔１１を通してピン挿入穴１０にそれぞれ固定するようにしたことにより、携帯電話機１の小型化と捻りや曲げに対する剛性の確保とを両立させることができる。
【００２１】
−変形例１−
図６は本発明の実施形態の変形例１を示し、ピン１２’の固定構造が異なる点で上記実施形態と異なる。なお、以下の各変形例では、図１〜図５と同じ部分については同じ符号を付してその詳細な説明は省略する。
【００２２】
本変形例では、ピン１２’の先端外周には、突部１３’が形成されている。この突部１３’は、ピン１２’の外周に連続して設けられていてもよいし、離散的に突設されていてもよい。この突部１３’に合わせてピン挿入穴１０内面に凹部を設けてもよい。ピン挿入穴１０に突部１３’を押し込むようにピン１２’を圧入することで、ピン１２’が固定されている。なお、ピン挿入穴１０内面側に突部を設けてもよい。
【００２３】
本変形例では、上記実施形態のようにピン用両面テープ１３を貼り付ける必要がなく、部品点数が減って組立が容易である。
【００２４】
−変形例２−
図７は本発明の実施形態の変形例２を示し、ピン１２”の固定構造が異なる点で上記実施形態と異なる。
【００２５】
本変形例では、ピン１２”は、圧入しやすいように先端が複数に分割されており、その外周の長手方向中間に鉤状の係止部１３”が形成されている。
【００２６】
そして、ピン１２”の先端を変形させながらピン挿通孔１１に挿通させ、係止部１３”がピン挿通孔１１を通過後に再び広がって係止部１３”がピン挿通孔１１の周縁に係止するようになっている。このことでピン１２”が抜け止めされている。このように、簡単な構造でピン１２”の抜けを防止することができる。
【００２７】
−変形例３−
図８は本発明の実施形態の変形例３を示し、ピン１２'''の固定構造が異なる点で上記実施形態と異なる。
【００２８】
本変形例では、変形例２と同様にピン１２'''は、圧入しやすいように先端が複数に分割されているが、その外周の長手方向中間に凹部１３'''が形成されている。これに対応するようにピン挿通孔１１'''の内面に突起１１ａ'''が形成されている。この突起１１ａ'''は、内周に連続して形成されていてもよいし、離散的に突設されていてもよい。
【００２９】
そして、ピン１２'''の先端を変形させながらピン挿通孔１１'''に挿通させ、凹部１３'''に突起１１ａが係合するようになっている。このことでピン１２'''が抜け止めされている。このように、簡単な構造でピン１２'''の抜けを防止することができる。
【００３０】
−変形例４−
図９は本発明の実施形態の変形例４を示し、ピン１２''''の固定構造が異なる点で上記実施形態と異なる。
【００３１】
本変形例では、変形例１と同様にピン１２''''の外周及びピン挿通孔１１の内面の少なくとも一方に突部１３''''が形成されている。突部１３''''の設ける位置は、ピン１２''''であれば、その基端側でも先端側でもよい。
【００３２】
本実施形態では、上記実施形態のような頭部１２ａが設けられていない。このため、携帯電話機１の左右幅も小さくすることができる。
【００３３】
頭部１２ａがなくても、ピン１２''''の突部１３''''による圧入により、ピン１２''''の抜け止めが達成されている。
【００３４】
（その他の実施形態）
本発明は、上記実施形態について、以下のような構成としてもよい。
【００３５】
すなわち、上記実施形態では、正面側キャビネット３と背面側キャビネット４とを枠状の接合用両面テープ９によって貼り合わせているが、ネジ締結や爪嵌合で接合してもよい。ネジ締結や爪嵌合でも締結位置や嵌合位置が広いところでは、力が加わると接合面が開きやすくなるが、本発明によれば、接合面が開かない。
【００３６】
また、上記実施形態では、ピン挿入穴１０は、有底のものとしているが、防水性が求められない部分では貫通されていてもよい。
【００３７】
また、上記実施形態では、ピンは左右側壁３ａ，４ａに設けたが、上下側壁など別の位置に設けてもよい。
【００３８】
上記実施形態では、携帯端末は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよい。
【００３９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４０】
１      携帯電話機（携帯端末）
２      表示部
３      正面側キャビネット（第１キャビネット）
３ａ    左右側壁 
４      背面側キャビネット（第２キャビネット）
４ａ    左右側壁 
５      リアカバー 
５ａ    側壁 
５ｂ    当接面 
６      回路基板組品
７      充電池
８      防水シート
１０      ピン挿入穴
１１      ピン挿通孔
１１ａ    平坦面
１１ａ'''    突起
１２      ピン
１２’    ピン
１２”    ピン
１２ａ    頭部
１３      ピン用両面テープ
１３’    突部
１３”    係止部
１３'''    凹部
１３''''    突部
【図１】
2015070378.tif 000003
【図２】
2015070378.tif 000004
【図３】
2015070378.tif 000005
【図４】
2015070378.tif 000006
【図５】
2015070378.tif 000007
【図６】
2015070378.tif 000008
【図７】
2015070378.tif 000009
【図８】
2015070378.tif 000010
【図９】
2015070378.tif 000011